【手続補正書】
【提出日】平成25年9月17日(2013.9.17)
【手続補正１】
【補正対象書類名】特許請求の範囲
【補正対象項目名】全文
【補正方法】変更
【補正の内容】
【特許請求の範囲】
【請求項１】
サービス統合プラットフォームシステムであって、
独立系ソフトウェアベンダー（ＩＳＶ）によって開始されたサービス要求を受信するよう構成されたインターフェースと、
１または複数のプロセッサであって、
実際のサービスを提供する配備環境に対応する配備用統一リソース識別子（ＵＲＩ）およびテストサービスに対するアクセスを提供するテスト環境に対応するテスト用統一リソース識別子（ＵＲＩ）を提供し、前記テスト用ＵＲＩは前記配備用ＵＲＩとは別個かつ異なり、
前記サービス要求を認証し、
前記サービス要求が認証された場合に、さらに処理されるべきサービスを提供するインターネットサービスプロバイダ（ＩＳＰ）まで前記サービス要求をルーティングすることであって、
前記サービス要求が前記テスト用ＵＲＩまたは前記配備用ＵＲＩのいずれにおいて受信されたか決定し、
前記サービス要求が前記テスト用ＵＲＩで受信された場合には、テストのために、前記サービス要求を前記テスト環境までルーティングし、
前記サービス要求が前記配備用ＵＲＩで受信された場合には、更なる処理のために、前記サービス要求を前記配備環境までルーティングするように構成されている１または複数のプロセッサと、を備え、
前記配備環境および前記テスト環境は少なくともセキュリティ関連認証データを共有し、
前記サービス要求の認証は、
前記サービス要求を開始したＩＳＶのパラメータが正規であるか否かを判定し、
前記パラメータが正規である場合には、
前記サービス要求に関連するサービスが存在するか否かを判定し、
前記サービスが存在する場合には、前記サービス要求を前記ＩＳＰに送信する、システム。
【請求項２】
請求項１に記載のシステムであって、前記１または複数のプロセッサは、さらに、
前記サービス要求を開始した前記ＩＳＶによって要求された前記サービスが、前記ＩＳＰへのログインを必要とすることを決定し、
前記ＩＳＰへのログイン要求を開始し、
前記ＩＳＰの処理に従ってトークンを生成し、
前記ＩＳＶの前記サービス要求を前記ＩＳＰに転送するよう構成されている、システム。
【請求項３】
請求項１に記載のシステムであって、前記１または複数のプロセッサは、さらに、認証およびルーティングに関連する作業のログを記録するよう構成されている、システム。
【請求項４】
請求項３に記載のシステムであって、前記１または複数のプロセッサは、さらに、前記ログを解析するよう構成されている、システム。
【請求項５】
請求項４に記載のシステムであって、前記１または複数のプロセッサは、さらに、前記ログの解析結果に従ってシステムアクセスを監視するよう構成されている、システム。
【請求項６】
請求項４に記載のシステムであって、前記１または複数のプロセッサは、さらに、前記ログの解析結果に従って代金を計上するよう構成されている、システム。
【請求項７】
請求項１に記載のシステムであって、前記１または複数のプロセッサは、さらに、前記ＩＳＰによって提供されたサンドボックスを前記ＩＳＶのテストサービスにリンクするよう構成されている、システム。
【請求項８】
請求項１に記載のシステムであって、前記１または複数のプロセッサは、さらに、前記サービス要求が前記テスト環境までルーティングされた場合に、システムデバッグプロシージャをテストするよう構成されている、システム。
【請求項９】
請求項８に記載のシステムであって、前記１または複数のプロセッサは、さらに、前記システムデバッグプロシージャのテスト結果に従って、前記ＩＳＶによって開始された前記サービス要求を認証するよう構成されている、システム。
【請求項１０】
請求項１に記載のシステムであって、前記１または複数のプロセッサは、さらに、前記サービス要求が前記テスト環境までルーティングされた場合に、アプリケーションインターフェースをテストするよう構成されている、システム。
【請求項１１】
請求項１に記載のシステムであって、前記１または複数のプロセッサは、さらに、各ＩＳＰのアプリケーションインターフェーステストアドレスおよびサービスアドレスを取得し、前記サービス要求が前記テスト用ＵＲＩで受信された場合に前記サービス要求を前記アプリケーションインターフェーステストアドレスまでルーティングするよう構成されている、システム。
【請求項１２】
請求項１に記載のシステムであって、前記１または複数のプロセッサは、さらに、各ＩＳＰのサービス記述文書を少なくとも１つのＩＳＶに提供するよう構成されている、システム。
【請求項１３】
インターネットサービスを提供するための方法であって、
実際のサービスを提供する配備環境に対応する配備用統一リソース識別子（ＵＲＩ）およびテストサービスに対するアクセスを提供するテスト環境に対応するテスト用統一リソース識別子（ＵＲＩ）を提供し、前記テスト用ＵＲＩは前記配備用ＵＲＩとは別個かつ異なり、
独立系ソフトウェアベンダー（ＩＳＶ）によって開始されたサービス要求を受信し、
前記サービス要求を認証し、
前記サービス要求が認証された場合に、さらに処理されるべきサービスを提供するインターネットサービスプロバイダ（ＩＳＰ）前記サービス要求をまでルーティングすることであって、
前記サービス要求が前記テスト用ＵＲＩまたは前記配備用ＵＲＩのいずれにおいて受信されたか決定し、
前記サービス要求が前記テスト用ＵＲＩで受信された場合には、テストのために、前記サービス要求を前記テスト環境までルーティングし、
前記サービス要求が前記配備用ＵＲＩで受信された場合には、更なる処理のために、前記サービス要求を前記配備環境までルーティングすること、
を備え、
前記配備環境および前記テスト環境は少なくともセキュリティ関連認証データを共有し、
前記サービス要求の認証は、
前記サービス要求を開始したＩＳＶのパラメータが正規であるか否かを判定し、
前記パラメータが正規である場合には、
前記サービス要求に関連するサービスが存在するか否かを判定し、
前記サービスが存在する場合には、前記サービス要求を前記ＩＳＰに送信する、方法。
【請求項１４】
請求項１３に記載の方法であって、さらに、
前記サービス要求を開始した前記ＩＳＶによって要求された前記サービスが、前記ＩＳＰへのログインを必要とすることを決定し、
前記ＩＳＰへのログイン要求を開始し、
前記ＩＳＰの処理に従ってトークンを生成し、
前記ＩＳＶの前記サービス要求を前記ＩＳＰに転送すること、
を備える、方法。
【請求項１５】
請求項１４に記載の方法であって、さらに、認証およびルーティングに関連するログを記録することを備える、方法。
【請求項１６】
請求項１５に記載の方法であって、さらに、前記ログを解析することを備える、方法。
【請求項１７】
請求項１６に記載の方法であって、さらに、前記ログの解析結果に従ってシステムアクセスを監視することを備える、方法。
【請求項１８】
請求項１６に記載の方法であって、さらに、前記ログの解析結果に従って代金を計上することを備える、方法。
【請求項１９】
請求項１３に記載の方法であって、さらに、前記ＩＳＰによって提供されたサンドボックスを前記ＩＳＶのテストサービスにリンクすることを備える、方法。
【請求項２０】
請求項１３に記載の方法であって、さらに、前記サービス要求が前記テスト環境までルーティングされた場合に、システムデバッグプロシージャのテストをトリガすることを備える、方法。
【請求項２１】
請求項２０に記載の方法であって、さらに、前記システムデバッグプロシージャのテスト結果に従って、前記ＩＳＶによって開始された前記サービス要求を認証することを備える、方法。
【請求項２２】
請求項１３に記載の方法であって、さらに、前記サービス要求が前記テスト環境までルーティングされた場合に、アプリケーションインターフェースをテストすることを備える、方法。
【請求項２３】
請求項１６に記載の方法であって、さらに、各ＩＳＰのアプリケーションインターフェーステストアドレスおよびサービスアドレスを取得し、前記サービス要求が前記テスト用ＵＲＩで受信された場合に前記サービス要求を前記アプリケーションインターフェーステストアドレスまでルーティングすること、を備える、方法。
【請求項２４】
請求項１６に記載の方法であって、さらに、各ＩＳＰのサービス記述文書を少なくとも１つのＩＳＶに提供することを備える、方法。
【請求項２５】
サービス統合プラットフォームシステムであって、
独立系ソフトウェアベンダー（ＩＳＶ）によって開始されたサービス要求を受信するよう構成されたインターフェースと、
前記サービス要求を認証するよう構成された認証モジュールと、
ルーティングモジュールであって、
実際のサービスを提供する配備環境に対応する配備用統一リソース識別子（ＵＲＩ）およびテストサービスに対するアクセスを提供するテスト環境に対応するテスト用統一リソース識別子（ＵＲＩ）を提供し、前記テスト用ＵＲＩは前記配備用ＵＲＩとは別個かつ異なり、
前記サービス要求が認証された場合に、さらなる処理に向けて前記サービス要求を、サービスを提供するインターネットサービスプロバイダ（ＩＳＰ）までルーティングすることであって、
前記サービス要求が前記テスト用ＵＲＩまたは前記配備用ＵＲＩのいずれにおいて受信されたか決定し、
前記サービス要求が前記テスト用ＵＲＩで受信された場合には、テストのために、前記サービス要求を前記テスト環境までルーティングし、
前記サービス要求が前記配備用ＵＲＩで受信された場合には、更なる処理のために、前記サービス要求を前記配備環境までルーティングするよう構成されたルーティングモジュールと、
を備え、
前記配備環境および前記テスト環境は少なくともセキュリティ関連認証データを共有し、
前記サービス要求の認証は、
前記サービス要求を開始したＩＳＶのパラメータが正規であるか否かを判定し、
前記パラメータが正規である場合には、
前記サービス要求に関連するサービスが存在するか否かを判定し、
前記サービスが存在する場合には、前記サービス要求を前記ＩＳＰに送信する、システム。
【請求項２６】
請求項１に記載のシステムであって、前記サービス要求に関連する前記サービスが存在するか否かの判定は、
署名が必要であるか否か判定し、
前記署名が必要である場合には、
前記署名が有効であるか否か判定し、
前記署名が有効でない場合には、前記サービス要求を中止する、システム。
【手続補正２】
【補正対象書類名】明細書
【補正対象項目名】００９８
【補正方法】変更
【補正の内容】
【００９８】
上述の実施形態は、理解しやすいように少し詳しく説明されているが、本発明は、提供された詳細事項に限定されるものではない。本発明を実施する多くの代替方法が存在する。開示された実施形態は、例示であり、限定を意図するものではない。
適用例１：サービス統合プラットフォームシステムであって、独立系ソフトウェアベンダー（ＩＳＶ）によって開始されたサービス要求を受信するよう構成されたインターフェースと、前記サービス要求を認証すると共に、前記サービス要求が認証された場合に、さらなる処理のために前記サービス要求を、サービスを提供するインターネットサービスプロバイダ（ＩＳＰ）までルーティングするよう構成された１または複数のプロセッサと、を備え、前記サービス要求は、前記サービス要求が、前記ＩＳＰによって提供された配備環境に対応する配備用統一リソース識別子（ＵＲＩ）で受信された場合には、前記配備環境までルーティングされ、前記サービス要求は、前記サービス要求が、前記ＩＳＰによって提供されたテスト環境に対応するテスト用ＵＲＩで受信された場合には、前記テスト環境までルーティングされる、システム。
適用例２：適用例１に記載のシステムであって、前記認証は、前記サービス要求を開始した前記ＩＳＶのパラメータが正規のものか否か、前記サービスが存在するか否か、署名が必要か否か、権限があるか否か、前記署名が有効か否か、タイムスタンプが期限切れであるか否か、トークンが有効であるか否か、の内の１または複数を認証することを含む、システム。
適用例３：適用例１に記載のシステムであって、前記１または複数のプロセッサは、さらに、前記サービスを開始した前記ＩＳＶによって要求されたサービスが、前記ＩＳＰへのログインを必要とすることを決定し、前記ＩＳＰへのログイン要求を開始し、前記ＩＳＰの処理に従ってトークンを生成し、前記ＩＳＶの前記サービス要求を前記ＩＳＰに転送するよう構成されている、システム。
適用例４：適用例１に記載のシステムであって、前記１または複数のプロセッサは、さらに、認証およびルーティングに関連する作業のログを記録するよう構成されている、システム。
適用例５：適用例４に記載のシステムであって、前記１または複数のプロセッサは、さらに、前記ログを解析するよう構成されている、システム。
適用例６：適用例５に記載のシステムであって、前記１または複数のプロセッサは、さらに、前記ログの解析結果に従ってシステムアクセスを監視するよう構成されている、システム。
適用例７：適用例５に記載のシステムであって、前記１または複数のプロセッサは、さらに、前記ログの解析結果に従って代金を計上するよう構成されている、システム。
適用例８：適用例１に記載のシステムであって、前記１または複数のプロセッサは、さらに、前記ＩＳＰによって提供されたサンドボックスを前記ＩＳＶのテストサービスにリンクするよう構成されている、システム。
適用例９：適用例１に記載のシステムであって、前記１または複数のプロセッサは、さらに、前記サービス要求が前記テスト環境までルーティングされた場合に、システムデバッグプロシージャをテストするよう構成されている、システム。
適用例１０：適用例９に記載のシステムであって、前記１または複数のプロセッサは、さらに、前記システムデバッグプロシージャのテスト結果に従って、前記ＩＳＶによって開始された前記サービス要求を認証するよう構成されている、システム。
適用例１１：適用例１に記載のシステムであって、前記１または複数のプロセッサは、さらに、前記サービス要求が前記テスト環境までルーティングされた場合に、アプリケーションインターフェースをテストするよう構成されている、システム。
適用例１２：適用例１に記載のシステムであって、前記１または複数のプロセッサは、さらに、各ＩＳＰのアプリケーションインターフェーステストアドレスおよびサービスアドレスを取得し、前記サービス要求が前記テスト用ＵＲＩで受信された場合に前記サービス要求を前記アプリケーションインターフェーステストアドレスまでルーティングするよう構成されている、システム。
適用例１３：適用例１に記載のシステムであって、前記１または複数のプロセッサは、さらに、各ＩＳＰのサービス記述文書を少なくとも１つのＩＳＶに提供するよう構成されている、システム。
適用例１４：インターネットサービスを提供するための方法であって、独立系ソフトウェアベンダー（ＩＳＶ）によって開始されたサービス要求を受信し、前記サービス要求を認証し、前記サービス要求が認証された場合に、さらなる処理のために前記サービス要求を、サービスを提供するインターネットサービスプロバイダ（ＩＳＰ）までルーティングすること、を備え、前記サービス要求は、前記サービス要求が、前記ＩＳＰによって提供された配備環境に対応する配備用統一リソース識別子（ＵＲＩ）で受信された場合には、前記配備環境までルーティングされ、前記サービス要求は、前記サービス要求が、前記ＩＳＰによって提供されたテスト環境に対応するテスト用ＵＲＩで受信された場合には、前記テスト環境までルーティングされる、方法。
適用例１５：適用例１４に記載の方法であって、前記認証は、前記サービス要求を開始した前記ＩＳＶのパラメータが正規のものか否か、前記サービスが存在するか否か、署名が必要か否か、権限があるか否か、前記署名が有効か否か、タイムスタンプが期限切れであるか否か、トークンが有効であるか否か、の内の１または複数の認証を含む、方法。
適用例１６：適用例１４に記載の方法であって、さらに、前記サービスを開始した前記ＩＳＶによって要求されたサービスが、前記ＩＳＰへのログインを必要とすることを決定し、前記ＩＳＰへのログイン要求を開始し、前記ＩＳＰの処理に従ってトークンを生成し、前記ＩＳＶの前記サービス要求を前記ＩＳＰに転送すること、を備える、方法。
適用例１７：適用例１６に記載の方法であって、さらに、認証およびルーティングに関連するログを記録することを備える、方法。
適用例１８：適用例１７に記載の方法であって、さらに、前記ログを解析することを備える、方法。
適用例１９：適用例１８に記載の方法であって、さらに、前記ログの解析結果に従ってシステムアクセスを監視することを備える、方法。
適用例２０：適用例１８に記載の方法であって、さらに、前記ログの解析結果に従って代金を計上することを備える、方法。
適用例２１：適用例１４に記載の方法であって、さらに、前記ＩＳＰによって提供されたサンドボックスを前記ＩＳＶのテストサービスにリンクすることを備える、方法。
適用例２２：適用例１４に記載の方法であって、さらに、前記サービス要求が前記テスト環境までルーティングされた場合に、システムデバッグプロシージャのテストをトリガすることを備える、方法。
適用例２３：適用例２２に記載のシステムであって、さらに、前記システムデバッグプロシージャのテスト結果に従って、前記ＩＳＶによって開始された前記サービス要求を認証することを備える、システム。
適用例２４：適用例１４に記載の方法であって、さらに、前記サービス要求が前記テスト環境までルーティングされた場合に、アプリケーションインターフェースをテストすることを備える、方法。
適用例２５：適用例１４に記載の方法であって、さらに、各ＩＳＰのアプリケーションインターフェーステストアドレスおよびサービスアドレスを取得し、前記サービス要求が前記テスト用ＵＲＩで受信された場合に前記サービス要求を前記アプリケーションインターフェーステストアドレスまでルーティングすること、を備える、方法。
適用例２６：適用例１４に記載の方法であって、さらに、各ＩＳＰのサービス記述文書を少なくとも１つのＩＳＶに提供することを備える、方法。
適用例２７：サービス統合プラットフォームシステムであって、独立系ソフトウェアベンダー（ＩＳＶ）によって開始されたサービス要求を受信するよう構成されたインターフェースと、前記サービス要求を認証するよう構成された認証モジュールと、前記サービス要求が認証された場合に、さらなる処理に向けて前記サービス要求を、サービスを提供するインターネットサービスプロバイダ（ＩＳＰ）までルーティングするよう構成されたルーティングモジュールと、を備え、前記サービス要求は、前記サービス要求が、前記ＩＳＰによって提供された配備環境に対応する配備用統一リソース識別子（ＵＲＩ）で受信された場合には、前記配備環境までルーティングされ、前記サービス要求は、前記サービス要求が、前記ＩＳＰによって提供されたテスト環境に対応するテスト用ＵＲＩで受信された場合には、前記テスト環境までルーティングされる、システム。